(57)【要約】【課題】ランニングコストと出力結果のバランスを把握して適切なプリンタの選択が可能な適正プリンタ選択シミュレーションシステム等を提供すること。【解決手段】ネットワークを介してユーザ端末から送信された、プリンタ４が解釈して印刷するプリントファイルを印刷するプリンタとユーザ端末にプリンタ４のコスト報告書を送信するサーバ２を有する適正プリンタ選択シミュレーションシステム１０であって、プリンタ４は、当該プリンタのインク消費量を含むプリンタ情報を抽出して電子メールを生成する電子メール生成手段４４と、電子メール生成手段により生成された電子メールをサーバ２に送信する電子メール送信手段と、を有し、サーバ２は、送信されたインク消費量に基づき、カラー原稿をモノクロ印刷した場合よりもカラー印刷したことでインク消費量にかかるコストが低減されたことを示すコスト報告書を生成するコスト報告書生成手段２１ｃと、コスト報告書をユーザ端末に送信する送信手段と、を有することを特徴とする。【選択図】図１２
2008165380.tif 000002
【特許請求の範囲】
【請求項１】
ネットワークを介してユーザ端末から送信された、プリンタが解釈して印刷するプリントファイルを印刷するプリンタと前記ユーザ端末に前記プリンタのコスト報告書を送信するサーバを有する適正プリンタ選択シミュレーションシステムであって、
前記プリンタは、
当該プリンタのインク消費量を含むプリンタ情報を抽出して電子メールを生成する電子メール生成手段と、
前記電子メール生成手段により生成された電子メールを前記サーバに送信する電子メール送信手段と、を有し、
前記サーバは、
送信された前記インク消費量に基づき、カラー原稿をモノクロ印刷した場合よりもカラー印刷したことでインク消費量にかかるコストが低減されたことを示す前記コスト報告書を生成するコスト報告書生成手段と、
前記コスト報告書を前記ユーザ端末に送信する送信手段と、
を有することを特徴とする適正プリンタ選択シミュレーションシステム。
【請求項２】
カラー原稿をモノクロ印刷した場合のインク消費量は、前記プリンタによるインク消費量から推定されたレーザプリンタのトナー消費量であり、カラー原稿をカラー印刷した場合のインク消費量は、当該プリンタによるインク消費量である、
ことを特徴とする請求項１記載の適正プリンタ選択シミュレーションシステム。
【請求項３】
カラー原稿をモノクロ印刷した場合のインク消費量は当該プリンタによりカラー印刷した場合のインク消費量から推定された当該プリンタのインク消費量であり、カラー原稿をカラー印刷した場合のインク消費量は、当該プリンタによるインク消費量である、又は、
カラー原稿をモノクロ印刷した場合のインク消費量は当該プリンタによりモノクロ印刷した場合のインク消費量であり、カラー原稿をカラー印刷した場合のインク消費量は当該プリンタによりモノクロ印刷した場合のインク消費量から推定された当該プリンタのインク消費量である、
ことを特徴とする請求項１記載の適正プリンタ選択シミュレーションシステム。
【請求項４】
前記コスト報告書は、モノクロ印刷及びカラー印刷毎に、所定期間の印刷ページ数又はインク消費量の情報を有する、
ことを特徴とする請求項１記載の適正プリンタ選択シミュレーションシステム。
【請求項５】
前記コスト報告書は、カラー原稿をモノクロ印刷した場合よりもカラー印刷したことでコストが低減された印刷ページ数又はその比率の情報を含む、
ことを特徴とする請求項１記載の適正プリンタ選択シミュレーションシステム。
【請求項６】
前記サーバは、
ユーザのユーザ情報が入力可能なウェブページを前記ユーザ端末に送信し、
前記ユーザ端末は、
前記ユーザ端末に表示された前記ウェブページに入力されたユーザ情報を前記サーバに送信し、
前記サーバは、
前記プリンタから送信された電子メールが含むインク消費量を前記ユーザ情報に対応づけて記憶し、当該ユーザの前記コスト報告書を生成する、
ことを特徴とする請求項１記載の適正プリンタ選択シミュレーションシステム。
【請求項７】
前記サーバは、
前記インク消費量に基づき当該プリンタの使用により得られる利益を算出し、算出された利益の推移から将来の利益を予測する販売支援手段を有する、  
ことを特徴とする請求項６記載の適正プリンタ選択シミュレーションシステム。
【請求項８】
前記プリンタ情報は、当該プリンタの導入時の下取りの有無を示す情報を有し、
前記販売支援手段は、複数の前記プリンタから送信された前記プリンタ情報の下取りの有無に応じて前記インク消費量を集計する、
ことを特徴とする請求項７記載の適正プリンタ選択シミュレーションシステム。
【請求項９】
前記プリンタ情報は、当該プリンタの増設トレイの有無を示す情報を有し、
前記販売支援手段は、複数の前記プリンタから送信された前記プリンタ情報の前記増設トレイの有無に応じて前記インク消費量を集計する、
ことを特徴とする請求項７記載の適正プリンタ選択シミュレーションシステム。
【請求項１０】
ユーザ端末とサーバとがネットワークを介して接続された適正プリンタ選択シミュレーションシステムにおいて、
前記ユーザ端末は、
プリンタが解釈して印刷するプリントファイルであって、カラー原稿をカラー印刷するプリントファイルＣと前記カラー原稿をモノクロ印刷するプリントファイルＭを生成するプリントファイル生成手段と、
プリントファイルＣ及びプリントファイルＭを前記サーバに送信するプリントファイル送信手段と、を有し
前記サーバは、
送信されたプリントファイルＣを用紙に印刷した場合のインク消費量Ｃ及びプリントファイルＭを用紙に印刷した場合のインク消費量Ｍをシミュレートするシミュレート手段と、
インク消費量Ｍ及びインク消費量Ｍ以下であるインク消費量Ｃを前記ユーザ端末に送信するコスト情報送信手段と、
を有することを特徴とする適正プリンタ選択シミュレーションシステム
【請求項１１】
プリンタが解釈して印刷するプリントファイルを生成するプリントファイル生成手段、又は、前記プリントファイルを受信する受信手段のいずれかと、
前記プリントファイルを用紙に印刷した場合のインク消費量をシミュレートするシミュレート手段と、を有する、
ことを特徴とするインク消費量シミュレート装置。
【請求項１２】
前記シミュレート手段は、
カラー原稿をカラー印刷するプリントファイルＣを用紙に印刷した場合のインク消費量Ｃ及び前記カラー原稿をモノクロ印刷するプリントファイルＭを用紙に印刷した場合のインク消費量Ｍをシミュレートし、
インク消費量Ｃはインク消費量Ｍ以下であるとのシミュレート結果を出力する、
ことを特徴とする請求項１１記載のインク消費量シミュレート装置。
【請求項１３】
ネットワークを介して接続されたプリンタから電子メールで送信された当該プリンタのインク消費量を含むプリンタ情報を受信する受信手段と、
送信された前記インク消費量に基づき、カラー原稿をモノクロ印刷した場合よりもカラー印刷したことでインク消費量が低減されたことを示すコスト報告書を生成するコスト報告書生成手段と、
前記コスト報告書をネットワークを介して接続されたユーザ端末に送信する送信手段と、
を有することを特徴とするコストサーバ。
【請求項１４】
カラー原稿をモノクロ印刷した場合のインク消費量は、前記プリンタによるインク消費量から推定されたレーザプリンタのトナー消費量であり、カラー原稿をカラー印刷した場合のインク消費量は、当該プリンタによるインク消費量である、
ことを特徴とする請求項１３記載のコストサーバ。
【請求項１５】
カラー原稿をモノクロ印刷した場合のインク消費量は当該プリンタによりカラー印刷した場合のインク消費量から推定された当該プリンタのインク消費量であり、カラー原稿をカラー印刷した場合のインク消費量は当該プリンタによるインク消費量である、又は、
カラー原稿をモノクロ印刷した場合のインク消費量は当該プリンタによりモノクロ印刷した場合のインク消費量であり、カラー原稿をカラー印刷した場合のインク消費量は当該プリンタによりモノクロ印刷した場合のインク消費量から推定された当該プリンタのインク消費量である、
ことを特徴とする請求項１３記載のコストサーバ。
【請求項１６】
前記コスト報告書は、モノクロ印刷及びカラー印刷毎に、所定期間の印刷ページ数又はインク消費量の情報を有する、
ことを特徴とする請求項１３記載のコストサーバ。
【請求項１７】
前記インク消費量に基づき当該プリンタの使用により得られる利益を算出し、算出された利益の推移から将来の利益を予測する販売支援手段を有する、  
ことを特徴とする請求項１３記載のコストサーバ。
【請求項１８】
コンピュータに、
プリンタが解釈して印刷するプリントファイルを生成するプリントファイル生成手段、又は、前記プリントファイルを受信する受信手段のいずれかと、
前記プリントファイルを用紙に印刷した場合のインク消費量をシミュレートするシミュレート手段と、
を実現させることを特徴とするインク消費量シミュレートプログラム。
【請求項１９】
コンピュータに、
ネットワークを介して接続されたプリンタから電子メールで送信された当該プリンタのインク消費量を含むプリンタ情報を受信する受信手段と、
送信された前記インク消費量に基づき、カラー原稿をモノクロ印刷した場合よりもカラー印刷したことでインク消費量が低減されたことを示すコスト報告書を生成するコスト報告書生成手段と、
前記コスト報告書をネットワークを介して接続されたユーザ端末に送信する送信手段と、
を実現させることを特徴とする報告書作成プログラム。
【発明の詳細な説明】
【技術分野】
【０００１】
本発明は、ランニングコストに基づきプリンタの選択を支援する適正プリンタ選択シミュレーションシステム、インク消費量シミュレート装置、コストサーバ、インク消費量シミュレートプログラム及び報告書作成プログラムに関する。
【背景技術】
【０００２】
オフィスでは文書の大量のコピーや印刷が日常的に行われているが、印刷を行えばインク／トナー消費量に応じたコストや印刷枚数毎に定められた単価で課金されるコストがかかるため、ランニングコストの抑制を図ることが求められている。そこで、コピー数、インク／トナー消費量など消耗品にかかるランニングコストを低減する技術が提案されている（例えば、特許文献１参照。）。特許文献１記載の技術は、予めプリンタ管理者がインク／トナーの消費量が少ない印刷推奨印刷設定をプリンタに設定しておき、推奨印刷設定を基準にユーザが行った印刷設定に対し課金することで、ユーザが推奨印刷設定を選択するように促し、ランニングコストの抑制を図っている。
【特許文献１】特開２００５−０３７９１８号公報
【発明の開示】
【発明が解決しようとする課題】
【０００３】
このように、日々の印刷量を考慮すればインク／トナーに係るランニングコストは可能な限り低廉であることが望ましいが、一方で、表現力の豊かな出力が望まれる場合があり、ユーザはランニングコストと出力結果とのバランスに配慮して印刷することが要求される。例えば、ユーザは、文書の内容、使用目的、重要度等に応じて、モノクロ又はカラーの切り替え、及び、インク吐出量等を出力時に設定している。
【０００４】
しかしながら、ユーザはこのような自己流の設定が本当にランニングコストの抑制に効果があるか否かについて確かめることができないという問題がある。場合よっては、ランニングコストの抑制のための設定が却ってコスト増をもたらしているおそれがある。
【０００５】
また、同様に、ランニングコストの低廉なプリンタを購入する場合にも、ユーザが出力することの多い文書の内容や使用目的に対しランニングコストが抑制可能なプリンタ、又は、ランニングコストと出力結果のバランスに優れたプリンタを選択することは困難であった。
【０００６】
本発明は、上記課題に鑑み、ランニングコストと出力結果のバランスを把握して適切なプリンタの選択が可能な適正プリンタ選択シミュレーションシステム、インク消費量シミュレート装置、コストサーバ、インク消費量シミュレートプログラム及び報告書作成プログラムを提供することを目的とする。
【課題を解決するための手段】
【０００７】
上記課題に鑑み、本発明は、ネットワークを介してユーザ端末から送信されたプリントファイルを印刷するプリンタとユーザ端末にプリンタのコスト報告書を送信するサーバを有する適正プリンタ選択シミュレーションシステムであって、プリンタは、当該プリンタのインク消費量を含むプリンタ情報を抽出して電子メールを生成する電子メール生成手段と、電子メール生成手段により生成された電子メールをサーバに送信する電子メール送信手段と、を有し、サーバは、送信されたインク消費量に基づき、カラー原稿をモノクロ印刷した場合よりもカラー印刷したことでインク消費量にかかるコストが低減されたことを示すコスト報告書を生成するコスト報告書生成手段と、コスト報告書をユーザ端末に送信する送信手段と、を有することを特徴とする。
【０００８】
本発明によれば、実際にカラー原稿を印刷した場合のインク消費量を電子メールでサーバに送信し、サーバがモノクロ印刷した場合よりもカラー印刷したことでインク消費量にかかるコストが低減されたことを示すコスト報告書を作成するため、カラー原稿をカラーで印刷した方がインク消費量が少ないこと（コストが安い）ことをユーザが認識できる。
【０００９】
本発明の一形態において、カラー原稿をモノクロ印刷した場合のインク消費量は、プリンタによるインク消費量から推定されたカラーレーザプリンタのトナー消費量であり、カラー原稿をカラー印刷した場合のインク消費量は、当該プリンタによるインク消費量である、ことを特徴とする。
【００１０】
本発明によれば、カラー原稿をレーザプリンタによりモノクロ印刷した場合よりも当該プリンタによりカラー印刷した場合の方がコストが安いことが分かるので、当該プリンタを選択し表現力に勝るカラー印刷することで、ランニングコストと出力結果を両立できる。
【００１１】
また、本発明の一形態において、カラー原稿をモノクロ印刷した場合のインク消費量は当該プリンタによりカラー印刷した場合のインク消費量から推定された当該プリンタのインク消費量であり、カラー原稿をカラー印刷した場合のインク消費量は、当該プリンタによるインク消費量である、又は、カラー原稿をモノクロ印刷した場合のインク消費量は当該プリンタによりモノクロ印刷した場合のインク消費量であり、カラー原稿をカラー印刷した場合のインク消費量は当該プリンタによりモノクロ印刷した場合のインク消費量から推定された当該プリンタのインク消費量である、ことを特徴とする。
【００１２】
本発明によれば、カラー原稿を当該プリンタでモノクロ印刷した場合よりもカラー印刷した場合の方がコストが安いことが分かるので、当該プリンタを導入した後でも好適な印刷方法が選択されていることが確認でき、ランニングコストと出力結果を両立できる。
【００１３】
また、本発明の一形態において、コスト報告書は、モノクロ印刷及びカラー印刷毎に、所定期間の印刷ページ数又はインク消費量の情報を有する、ことを特徴とする。
【００１４】
本発明によれば、ユーザはモノクロ印刷及びカラー印刷毎の印刷ページ数又はインク消費量を把握して、印刷の無駄を省くなど適切な対応が可能となる。
【００１５】
また、本発明の一形態において、コスト報告書は、カラー原稿をモノクロ印刷した場合よりもカラー印刷したことでコストが低減された印刷ページ数又はその比率の情報を含む、ことを特徴とする。
【００１６】
本発明によれば、ユーザはカラー原稿をモノクロ印刷した場合よりもカラー印刷したことで実際にコストが低減された印刷ページ数等を把握するので、リアルな数値によりカラー印刷の効果を認識できる。
【００１７】
また、本発明の一形態において、サーバは、ユーザのユーザ情報が入力可能なウェブページを前記ユーザ端末に送信し、ユーザ端末は、ユーザ端末に表示されたウェブページに入力されたユーザ情報をサーバに送信し、サーバは、プリンタから送信された電子メールが含むインク消費量をユーザ情報に対応づけて記憶し、当該ユーザのコスト報告書を生成する、ことを特徴とする。
【００１８】
本発明によれば、プリンタ情報とユーザ情報を対応づけてサーバに記憶することができ、ユーザ情報を利用してプリンタ情報を解析することができる。
【００１９】
また、本発明の一形態において、サーバは、インク消費量に基づき当該プリンタのもたらす利益を算出し、算出された利益の推移から将来の利益を予測する販売支援手段を有する、ことを特徴とする。
【００２０】
本発明によれば、インク消費による利益から将来の利益を予測することで、プリンタ販売の採算を早期に把握することができる。
【００２１】
また、本発明の一形態において、プリンタ情報は、当該プリンタの導入時の下取りの有無を示す情報を有し、販売支援手段は、下取りの有無に応じて前記インク消費量を集計する、ことを特徴とする。
【００２２】
本発明によれば、下取りの有無に応じたインク消費量が分かるので、販売会社は既にプリンタを使用している顧客に下取りしてでもプリンタを販売すべきか否かを判断することができる。
【００２３】
また、本発明の一形態において、プリンタ情報は、当該プリンタの増設トレイの有無を示す情報を有し、販売支援手段は、増設トレイの有無に応じて前記インク消費量を集計する、ことを特徴とする。
【００２４】
本発明によれば、増設トレイの有無に応じたインク消費量が分かるので、販売会社は増設トレイを搭載してプリンタを販売すべきか否かを判断することができる。
【００２５】
また、本発明は、ユーザ端末とサーバとがネットワークを介して接続された適正プリンタ選択シミュレーションシステムにおいて、ユーザ端末は、プリンタが解釈して印刷するプリントファイルであって、カラー原稿をカラー印刷するプリントファイルＣとカラー原稿をモノクロ印刷するプリントファイルＭを生成するプリントファイル生成手段と、プリントファイルＣ及びプリントファイルＭをサーバに送信するプリントファイル送信手段と、を有し、サーバは、送信されたプリントファイルＣを用紙に印刷した場合のインク消費量Ｃ及びプリントファイルＭを用紙に印刷した場合のインク消費量Ｍをシミュレートするシミュレート手段と、インク消費量Ｍ及びインク消費量Ｍ以下であるインク消費量Ｃを送信するコスト情報送信手段と、を有することを特徴とする。
【００２６】
本発明によれば、カラー原稿をカラーで印刷した方がインク消費量が少ないこと（コストが安い）ことをユーザが認識できるので、ランニングコストも安く表現力の優れたプリンタ又は印刷設定を選択することができる。
【発明の効果】
【００２７】
ランニングコストと出力結果のバランスを把握して適切なプリンタの選択が可能な適正プリンタ選択シミュレーションシステム、インク消費量シミュレート装置、コストサーバ、インク消費量シミュレートプログラム及び報告書作成プログラムを提供することができる。
【発明を実施するための最良の形態】
【００２８】
以下、本発明を実施するための最良の形態について図面を参照しながら実施例を挙げて説明する。
【００２９】
本実施形態の適正プリンタ選択シミュレーションシステム１０は、カラー原稿を印刷する場合にカラー印刷又はモノクロ印刷のそれぞれのコストを算出し印刷前にコストの優れた印刷又はプリンタの選択を可能とする。印刷前にカラー印刷及びモノクロ印刷のコストが判明し、カラー印刷の方がモノクロ印刷よりもコストが安いか又は同程度である場合、ユーザはコストを気にせずカラー原稿をカラー印刷することができる。また、カラー印刷の方がモノクロ印刷よりもコストが高い場合、ユーザは文書の内容等に応じてカラー印刷又はモノクロ印刷を選択すればよい。
【００３０】
また、カラー印刷又はモノクロ印刷により消費した実際のインク消費量に基づきカラー印刷又はモノクロ印刷のコストを算出し、カラー印刷又はモノクロ印刷の選択及び購入すべきプリンタの選択を容易にする。
【００３１】
本実施形態の適正プリンタ選択シミュレーションシステム１０は、印刷前又は実際の印刷結果のインク消費量に基づきコストを算出するので、ユーザは、ランニングコストと表現力のバランスを把握してカラー印刷又はモノクロ印刷を適切に選択することができ、また、業務に最適なランニングコストと表現力を有するプリンタを選択することができる。
【００３２】
また、プリンタからＥ-Ｍａｉｌにより送信されたプリンタ情報を取得するサーバを設け、プリンタ情報に基づきコストを算出しユーザに通知することで、ユーザは印刷ページ数やインク消費量を把握して、印刷の無駄を省くなど適切な対応が可能となる。また、販売会社は、プリンタ情報を利用してプリンタのもたらす将来の利益を予測したり、次の販売に活かすことができる。
【００３３】
なお、以降では、インク吐出型のプリンタを例に説明するが、ファクシミリ、複写機、スキャナなどの機能を含む複合機であっても本実施形態の適正プリンタ選択シミュレーションシステム１０は同様に適用される。
【００３４】
〔カラーマネージメント〕
始めに本実施形態のカラーマネージメント（以下、単にＬＣ処理といい、ＬＣ処理されたカラー印刷をＬＣカラー印刷という）について説明する。一般に、カラー印刷はモノクロ印刷に比べてコストが高くなるとされている。この理由は、ＹＭＣＫ４色のインクを使用する場合、２次色であるＲＧＢを表現するには、ＲはＭとＹ、ＧはＣとＹ、ＢはＣとＭの減法混色となり、混色分のインクを余計に消費するためである。そこで、本実施形態のプリンタは、カラー印刷時のインク消費量を低減してカラー印刷のコストをモノクロ印刷の同等以下にする。
【００３５】
図１（ａ）はカラー原稿をフルカラー印刷した出力結果とＬＣ処理して印刷した出力結果の一例を示す。なお、図では白黒であるが、実際にはどちらもカラー印刷されている。フルカラー印刷とＬＣ処理した出力結果を比較すると、文字の部分はいずれも明瞭に印刷されている。これに対し、ＬＣ処理された右側のグラフの部分は色が薄くなっている。
【００３６】
本実施形態のプリンタ（以下、ＬＣプリンタ４という）は、印刷する画像を文字の部分と写真、グラフ、挿絵のようなグラフィックの部分に分け、文字の部分はフルカラー印刷（又はモノクロ印刷）時のインク量を使用し、グラフィックの部分は画像階調に一律の係数を乗算しインクの消費を防ぐ。これにより、インク消費量の多い２次色及び３次色の領域で使用するインク量を低減することができると共に、視認性を要求される文字の部分は明瞭に印刷されるため、印刷の品質を落とさずにカラー印刷することができる。すなわち、コスト抑制と表現を両立してカラー印刷することができる。
【００３７】
図１（ｂ）はフルカラー印刷、ＬＣカラー印刷及びモノクロ印刷のインク消費量を示す。なお、図１（ｂ）のインク消費量はＪＥＩＤＡ（Japanese Electronic Industry Development Association）標準Ｊ６シートをカラー原稿を使用して算出した。フルカラー印刷とＬＣカラー印刷では、Ｂｋインクの消費量は同程度であるが、ＬＣカラー印刷ではＣＭＹのインクの消費量がフルカラー印刷の半分程度になっている。この結果、ＬＣカラー印刷のインク消費量はモノクロ印刷のインク消費量と同程度となる。ＢｋインクとＣＭＹのインクの単価は同程度であるので、本実施形態のＬＣプリンタ４はカラー印刷とモノクロ印刷を同程度以下のコストで印刷できる。
【００３８】
〔印刷シミュレート〕
ＬＣプリンタ４はＣＭＹＫ毎にインクの消費量を制御しているため、実際にカラー原稿を印刷した場合、各インクの消費量は既知である。したがって、これに単価を乗じるとカラー印刷又はモノクロ印刷のコストを算出できる。しかしながら、実際に印刷しなければ、ＬＣカラー印刷、フルカラー印刷又はモノクロ印刷のコストが算出されないのでは、それぞれのコストを事前に比較できず不便である。そこで、本実施形態ではカラー原稿を印刷する前にインク消費量をシミュレートすることで、ＬＣカラー印刷又はモノクロ印刷のコストを算出可能とする。なお、印刷シミュレートは、コンピュータがプログラムを実行することで実現されるＰＲＮファイル生成手段及びシミュレート手段が行う。
【００３９】
図２は印刷シミュレートの手順を示すフローチャート図である。まず、ユーザはコンピュータを操作して、印刷時のコストを算出したいカラー原稿を選択し、印刷シミュレートを実行する。
【００４０】
図３（ａ）は、印刷シミュレートの設定画面の一例を示す。ユーザは図３（ａ）のような画面からＬＣカラー印刷又はモノクロ印刷を行うＬＣプリンタ４を設定し、「ファイルへ出力」をチェックする。そして、「ＯＫ」ボタンをクリックすると、ＰＲＮファイル生成手段がＰＲＮファイル（印刷イメージファイル）を生成する。カラー原稿を作成したアプリケーションプログラムは、カラー原稿の画像データ及びコマンドを例えばＯＳが提供するＧＤＩ（Graphics Device Interface）に送出し、プリンタドライバはＧＤＩを介して取得したカラー原稿からＰＲＮファイルを生成する（Ｓ１）。
【００４１】
ついで、シミュレート手段はＰＲＮファイルに基づきＣＭＹＫの各インクの消費量を算出する（Ｓ２）。なお、ＬＣカラー印刷又はモノクロ印刷のいずれかを選択してＰＲＮファイルを生成してもよいが、比較のため双方のＰＲＮファイルを生成することが好ましい。
【００４２】
図３（ｂ）はモノクロ印刷の場合に算出された各インクの消費量の一例を示す。図３（ｂ）では、Ｂｋが８５．３％、モノクロ印刷であるためＣＭＹインクは０％となっている。
【００４３】
なお、図３（ｂ）の％表示は印刷紙面の５％の面積に塗布した場合を１００％とした値である（以下、カバレッジということがある）。また、ＣＭＫの場合は３色、ＣＭＹＫの場合は４色になるので、それぞれ印刷紙面の１５％の面積に塗布した場合が３００％、印刷紙面の２０％の面積に塗布した場合が４００％となる。このように表示することで、各色のインクの消費量を単純に累積して比較できる。
【００４４】
ついで、シミュレート手段はインク消費量に基づきコストを算出する（Ｓ３）。図３（ｃ）は算出されたコストの一例を示す。シミュレート手段は予め定められた所定の算出方法により図３（ｃ）のようにコストを算出することができる。図３（ｃ）では５％カバレッジの場合を２円、インク消費量が２１２．８％であるので、２円×２．１２８＝４．２６円が一枚の印刷のインクにかかるコストとなる。
【００４５】
このようにして、シミュレート手段は実際に印刷することなく各色のインクのコストを算出することができる。なお、図２ではステップ毎に説明したが、カラー原稿のファイルを選択して所定の操作を行うのみで、ＰＲＮファイルの作成からコストまで一連の処理を全て行ってもよい。
【００４６】
また、シミュレート手段を備えたコンピュータ又はＬＣプリンタ４であれば、モノクロ印刷とＬＣカラー印刷のコストを印刷前にシミュレートして、ＬＣカラー印刷の方が安いか同等であればＬＣカラー印刷を、そうでなければモノクロ印刷を自動的に切り替えることができ、表現力とランニングコストとを自動的に両立可能となる。
【００４７】
〔Ｗｅｂサイト〕
印刷のコスト削減に関心があるユーザがＷｅｂ等からＬＣプリンタ４の情報等を収集することを可能にするため、ここではＬＣ処理の仕組みやＬＣプリンタ４の構造について説明したＷｅｂサイトを用意する。
【００４８】
図４はＬＣプリンタ４のＷｅｂサイトを説明するための図である。図４（ａ）では、ネットワーク１０１を介してクライアント端末１００とＷｅｂサーバ２００が接続されている。ユーザは検索サイトで検索したりＵＲＬを入力してＷｅｂサーバ２００のＷｅｂページにアクセスする。
【００４９】
図４（ｂ）は、クライアント端末１００の表示装置に表示されるＷｅｂページの一例を示す。図４（ｂ）に示すように、Ｗｅｂページでは本実施形態のＬＣプリンタ４の説明に加え、インクジェットプリンタとの比較、カラーレーザプリンタとの比較及びモノクロレーザプリンタとの比較等が説明されている。ユーザは現在所有している例えばモノクロレーザプリンタと本実施形態のＬＣプリンタ４を比較して、本実施形態のＬＣプリンタ４で用いられている技術、印刷速度が速い理由、印字品質、そしてコストが低廉な理由等の説明を理解することができる。
【００５０】
〔適正プリンタ選択シミュレーションシステムＡ〕
続いて、上述のＬＣプリンタ４及びシミュレート手段を用いた適正プリンタ選択シミュレーションシステム１０について説明する。ここでは、ユーザがＬＣ処理したカラー印刷が可能なＬＣプリンタ４を所有していない場合に、カラー原稿のコストを算出する場合を説明する。
【００５１】
ユーザはＷｅｂサイトを通じて本実施形態のＬＣプリンタ４の利点を理解するものの、実際に印刷するカラー原稿のコストがＷｅｂサイトで説明されたように低廉となるか否かを購入前に確認したいと要望する場合が多い。そこで、適正プリンタ選択シミュレーションシステム１０は、ユーザに、ＰＲＮファイルに基づき算出したコストを通知する仕組みを提供する。
【００５２】
図５は適正プリンタ選択シミュレーションシステム１０の構成図の一例を示す。図５ではネットワーク３を介してユーザ端末１ａ〜１ｎ（以下、単にユーザ端末１という）及びコストサーバ２が接続されている。ネットワーク３は、インターネットや社内ＬＡＮ等であり、ユーザ端末１及びコストサーバ２は、ＰＰＰプロトコル（Point・to・Point・Protocol）に従うＰＰＰプロトコルによりこれらの間でデータリンクを確立し、上位層のＴＣＰ（Transmission Control Protocol ）/ＩＰ（Internet Protocol）等のプロトコルに、上位互換であるＨＴＴＰ（Hyper Text Transfer Protocol）やＦＴＰ（File Transfer Protocol）のプロトコルでデータを送受信し、また、ＳＭＴＰ（SimplＥ-Ｍａｉｌ Transfer Protocol）やＭＩＭＥ（Multipurpose Internet Mail Extension）等のプロトコルによりＥ-Ｍａｉｌを送信する。なお、無線又は有線の別は問わない。
【００５３】
図６（ａ）はコストサーバ２のハードウェア構成図の一例を示す。ユーザ端末１についても同様であるので図は省略する。コストサーバ２は、それぞれバスで相互に接続されているＣＰＵ２１、主記憶装置２２、記憶装置２３、表示装置２４、入力装置２５、通信装置２６及びドライブ装置２７を有するように構成される。
【００５４】
ＣＰＵ２１は、ＯＳやアプリケーションなどのプログラムを記憶装置２３からロードして実行することで種々の機能を提供すると共に、コストサーバ２が行う処理を統括的に制御する。主記憶装置２２はＲＡＭ（Random Access Memory）により構成され、ＯＳやプログラム、データを一時保管する作業メモリとなる。記憶装置２３は、ＨＤＤ（ハードディスクドライブ）やフラッシュメモリなど不揮発性メモリであり、ＯＳ、プログラム、ドライバ等のファイルが記憶されている。表示装置２４は、プログラムが指示する画面情報に基づき所定の解像度や色数等で液晶などのディスプレイに描画する。例えば、ＧＵＩ（
Graphical User Interface）画面を形成し、操作に必要な各種ウィンドウやデータ等をディスプレイに表示する。
【００５５】
入力装置２５はキーボードやマウスなどで構成され、ユーザからの様々な操作指示を入力するために用いられる。ドライブ装置２７は記録媒体２８が挿入可能に構成されており、記録媒体２８に記録された情報を再生して主記憶装置２２等に送出する。なお、ドライブ装置２７は記録媒体２８にプログラムやデータを書き込む際に使用される。通信装置２６は、インターネットやＬＡＮなどのネットワーク３に接続するためのインターフェイスであり、例えばモデム、ネットワークインターフェイスカード（ＮＩＣ）等で構成される。
【００５６】
図６（ｂ）は、ユーザ端末１及びコストサーバ２の機能ブロック図の一例を示す。ユーザ端末１は、ＰＲＮファイルを生成するＰＲＮファイル生成手段１１ａ及び生成されたＰＲＮファイルをコストサーバ２に送信するＰＲＮファイル送信手段１１ｂとを有する。コストサーバ２は、ＰＲＮファイルに基づきインク消費量を算出すると共にコストを算出するシミュレート手段２１ａ及び算出したインク消費量やコストを含むコスト情報をユーザ端末１に送信するコスト情報送信手段２１ｂを有する。なお、ＰＲＮファイル生成手段１１ａはプリンタドライバが兼用してもよい。これらの各手段はユーザ端末１及びコストサーバ２のＣＰＵがプログラムを実行することで実現される。また、そのプログラム（特許請求の範囲におけるインク消費量シミュレートプログラム）は記憶媒体２８に記憶して配布されたり、Ｗｅｂサーバ２００等からネットワーク３を介してダウンロードされる。
【００５７】
図７は適正プリンタ選択シミュレーションシステム１０により印刷コストを算出する手順のアクティビティ図の一例を示す。ユーザは予めＬＣプリンタ４のＰＲＮファイル生成手段１１ａをＷｅｂサーバ２００等からダウンロードして取得しておく。そして、印刷コストを算出したい１以上のカラー原稿がある場合それを指定する。
【００５８】
ＰＲＮファイル生成手段１１ａは指定されたカラー原稿のＰＲＮファイルを生成し（Ｓ１０）、ＰＲＮファイル送信手段１１ｂは生成されたＰＲＮファイルをコストサーバ２に送信する（Ｓ２０）。なお、生成するＰＲＮファイルはモノクロ印刷用とＬＣカラー印刷の両方である。また、送信方法は、例えばコストサーバ２のＩＰアドレス（ＵＲＬ）に接続してからＦＴＰによりＰＲＮファイルを送信してもよいし、Ｅ-ＭａｉｌにＰＲＮファイルを添付して送信してもよい。
【００５９】
コストサーバ２がＰＲＮファイルを受信すると、シミュレート手段２１ａが各インクの消費量を算出し（Ｓ３０）、コストを算出する（Ｓ４０）。そして、コスト情報送信手段２１ｂはコスト情報（インク消費量及びコスト）をユーザ端末１に送信する。ここでも送信方法は、すでに接続しているユーザ端末１にＦＴＰでコスト情報を送信してもよいし、Ｅ-Ｍａｉｌにコスト情報を記載して添付して送信してもよい。
【００６０】
以上のような処理により、ユーザは図３（ｃ）のように算出されたモノクロ印刷とＬＣカラー印刷のコスト情報を取得することができ、ＬＣ処理されたカラー印刷であればモノクロ印刷とコスト的に同等かＬＣカラー印刷の方がコストが安いことを確認できる。
【００６１】
したがって、ユーザはカラー印刷の方がモノクロ印刷よりもコストが安いか同程度であれば、表現力の豊かなカラー印刷を好むと考えられ、これまでコストを考慮してモノクロレーザ印刷にてモノクロ印刷していた常識を改めることができる。すなわち、本実施形態の適正プリンタ選択シミュレーションシステム１０によれば、ユーザにＬＣプリンタ４の購入のインセンティブを与えることができる。
【００６２】
なお、図６ではコストサーバ２がシミュレート手段２１ａを備えることとしたが、シミュレート手段２１ａを実現するプログラムをＷｅｂサーバ２００等からダウンロード可能にして、ユーザがユーザ端末１においてＬＣ処理されたカラー印刷とモノクロ印刷のコストを比較できるようにしてもよい。
【００６３】
〔適正プリンタ選択シミュレーションシステムＢ〕
適正プリンタ選択シミュレーションシステム１０のように、ユーザが実機を用いずにシミュレート結果からＬＣプリンタ４の有効性を認識し購入にいたる場合はよいが、さらに、ＬＣプリンタ４の実機によりコスト低減の効果を確認したい場合がある。そこで、ここではＬＣプリンタ４をユーザ側に配置しデモによりユーザが使用した場合の適正プリンタ選択シミュレーションシステム１０について説明する。
【００６４】
図８は、適正プリンタ選択シミュレーションシステム１０の構成図の一例を示す。なお、図８において図５と同一構成部分には同一の符号を付しその説明は省略する。図８ではネットワーク３にＬＣプリンタ４が接続されている。ＬＣプリンタ４は、ＬＣプリンタ４の販売会社からデモ用に配置されたものである。なお、Ｗｅｂサーバ２００やコストサーバ２は販売会社により設置されている。
【００６５】
ユーザは複数のユーザ端末１ａ〜１ｎから不図示の複数のＬＣプリンタ４を共用して、ＩＰアドレスで指定されるＬＣプリンタ４を用いＬＣカラー印刷することができる。ユーザがユーザ端末１から所望のカラー原稿を印刷する場合、ＰＲＮファイル生成手段１１ａはＰＲＮファイルを生成してＬＣプリンタ４に送信する。ＬＣプリンタ４はフルカラー印刷などと同様にＰＲＮファイルを解釈してＬＣカラー印刷を実行する。
【００６６】
ＬＣプリンタ４は、印刷ページ数などのプリンタ情報を蓄積し、プリンタ情報をコストサーバ２にＥ-Ｍａｉｌにて送信する機能を備えており、例えば定期的（例えば、毎月）にプリンタ情報をコストサーバ２送信する。コストサーバ２はプリンタ情報に基づきユーザ別のコスト報告書を作成しユーザ端末１に送信する。このような適正プリンタ選択シミュレーションシステム１０により、販売会社はデモ用に貸し出したＬＣプリンタ４の使用状況を把握することができ、ユーザはＬＣカラー印刷の方がコスト的に安いなどの事実を認識することができる。
【００６７】
図９はＬＣプリンタ４とコストサーバ２の機能ブロック図の一例を示す。ＬＣプリンタ４は、ＲＯＭなどの記憶手段に格納されるプログラムをＣＰＵが実行して制御される。ＬＣプリンタ４は、プリンタ情報を送信する送信先のメールアドレス４１、プリンタ情報を送信するためのメールフレーム４２、ネットワーク３に接続するためのＮＩＣ４３を有し、ＣＰＵがプログラムを実行してＥ-Ｍａｉｌ生成手段４４、Ｗｅｂサーバ４５が実現される。また、コストサーバ２は、Ｅ-Ｍａｉｌにより受信したプリンタ情報に基づきコスト報告書を作成するコスト報告書生成手段２１ｃを有する。
【００６８】
ＬＣプリンタ４について説明する。ＬＣプリンタ４はＬＣカラー印刷が可能なプリンタであり、これに加えモノクロ印刷、フルカラー印刷の機能を備え、これらはユーザの設定により切り替えて印刷可能である。
【００６９】
ＬＣプリンタ４は、ＮＩＣ４３を介してネットワーク３に接続し、指定されたアドレスにＥ-Ｍａｉｌを送信する。使用するプロトコルは、例えばＳＭＴＰなどの通常使用されているプロトコルである。ユーザは、予めＳＭＴＰサーバ名、ＳＭＴＰポート番号、ＬＣプリンタ４のメールアドレス、管理者のメールアドレス及び送信先のメールアドレスを設定しておく。
【００７０】
Ｅ-Ｍａｉｌ生成手段４４は、ＬＣプリンタ４が印刷により随時更新する機械情報を定期的又はユーザの指示により取得して、プリンタ情報を内容とするＥ-Ｍａｉｌを生成する。
【００７１】
図１０はＥ-Ｍａｉｌにより送信されるプリンタ情報の一例を示す。プリンタ情報には、日付や時刻などのＥ-Ｍａｉｌ受信時間情報、ＬＣプリンタ４のシリアル番号などの機械本体固有情報、モノクロ印刷枚数やＬＣカラー印刷枚数などの印刷ページ数情報、モノクロ印刷やＬＣカラー印刷のカバレッジなどの累積インク消費量情報、カバレッジにより印刷枚数を分類したインク消費量別ページ数情報、各色のインクカートリッジの消費本数を示す累積インク交換本数情報、が含まれている。なお、累積インク消費量情報の単位は％であり紙面に対する塗布面積の割合を累積したものある。
【００７２】
このようなプリンタ情報に基づき生成されたコスト報告書をユーザが受信するのみなら、例えばユーザ側の管理者のメールアドレスがあればよい。しかしながら、ＬＣプリンタ４を使用するユーザの部署などの情報が得られれば、ユーザ側の管理者が印刷コストをより詳細に比較したり検討することが可能となるし、販売会社にとっても有益な情報が得られることになる。そこで、ＬＣプリンタ４はＷｅｂサーバ４５を有し、ユーザはＷｅｂサーバ４５によりユーザ情報をＬＣプリンタ４に設定することができる。
【００７３】
例えば、ユーザはユーザ端末１にインストールされたＷｅｂブラウザを起動して、ＬＣプリンタ４のＩＰアドレスに接続する。ＬＣプリンタ４のＷｅｂサーバ４５はユーザ端末１が接続するとユーザ情報の設定画面を形成するＨＴＭＬ（Hyper Text Markup Language）やＸＭＬ（eXtensible Markup Language）のファイルをユーザ端末１に送信する。
【００７４】
図１１（ａ）及び（ｂ）は、ユーザ端末１のＷｅｂブラウザが送信されたファイルを解釈して表示したユーザ情報の設定画面の一例を示す。設定画面には、ユーザの名称（Customer Name）、部署（Division）、住所（Address）、郵便番号（ZIP/Post Code）、地域（Country/Area）、型番（Model  Name）、シリアルナンバー（Serial Number）、購入日（Purchase Date）、アカウントグループ（Account Group）、搭載アクセサリ（Accessories）、標準プリンタ（Default Printer）、使用人数（Num of Sharing Users）、導入方法（Installation）、接続方法（Connection）等の入力欄が表示される。
【００７５】
ユーザはこれらの設定の全て又は必須設定項目に必要事項を設定することができる。なお、ＬＣプリンタ４を配置したユーザのユーザ情報が既知であれば、予め販売会社が設定しておいてもよい。設定された項目の情報は、Ｅ-Ｍａｉｌによりプリンタ情報と共にコストサーバ２に送信される。例えば、必須設定項目を設定しなければＥ-Ｍａｉｌの送信が認められないようにすれば、コストサーバ２はプリンタ情報と共に必要最低限のユーザ情報を取得することが可能となる。
【００７６】
なお、図１１では、ユーザ情報をいったんＬＣプリンタ４に設定することとしたが、ユーザ情報をコストサーバ２に直接送信してもよい。この場合、コストサーバ２は、コストサーバ２に送信されたユーザ情報のうち一意性のある情報（例えば、型番、シリアルナンバ）によりプリンタ情報と対応づけて記憶装置２６等に記憶する。
【００７７】
次に、コスト報告書について説明する。図１２（ａ）はコスト報告書の一例を示す。図１２（ａ）のコスト報告書は、ユーザ名、ユーザの業種、業務内容、ＬＣプリンタ４の型番、シリアルナンバ、導入日、コスト報告書作成日、累積印刷数、累積インク消費量及びコスト削減率の情報を有する。このうち、ユーザ名〜累積インク消費量はＥ-Ｍａｉｌにて送信されたプリンタ情報をそのまま利用することができる。
【００７８】
コスト削減率は、例えばユーザが使用しているプリンタに対し、ＬＣプリンタ４を使用したことで得られるコストの削減率を示す。まず、デモにより配置したＬＣプリンタ４のインク消費量にかかるコストは、プリンタ情報に含まれる累積インク消費量情報から算出される。すなわち、モノクロ印刷、ＬＣカラー印刷、フルカラー印刷のそれぞれのインク消費量に単価をかければ得られる。
【００７９】
ユーザが使用しているプリンタによる印刷コストについては、出力する文書はプリンタに関わらず同じと見なしてよい。ユーザが使用しているプリンタではＬＣカラー印刷の機能がないが、ＬＣカラー印刷はモノクロ印刷にて代用されると考えられるため、ＬＣカラー印刷のインク消費量はモノクロ印刷のインク消費量と見なせばよい。また、一般的な他社のインク又はトナー（以下、サプライ品という）の価格、及び、標準的なカバリッジの場合の出力可能枚数は既知であるので、ユーザが使用しているプリンタのインク消費量にかかるコストは明らかである。コスト報告書生成手段２１ｃは、このような方法でそれぞれのインク消費量にかかるコストを算出し、ＬＣプリンタ４を使用したことで得られるコストの削減率をコスト報告書に含ませる。
【００８０】
また、ＬＣプリンタ４を使用して、カラー原稿をカラー印刷した場合、同じカラー原稿をモノクロ印刷した場合よりも実際にコストが安いのか否かを確認したい場合がある。そこで、コスト報告書には、カラー原稿をモノクロ印刷した場合のインク消費量及び印刷コスト、と、カラー印刷した場合のインク消費量及び印刷コストを比較できるように含むことが好適となる。例えば、コスト報告書生成手段２１ｃは、カラー原稿をカラー印刷した場合のインク消費量からそれをモノクロ印刷した場合のインク消費量を推定し、又はその逆に、カラー原稿をモノクロ印刷した場合のインク消費量からそれをカラー印刷した場合のインク消費量を推定し、カラー原稿をモノクロ印刷した場合の印刷コストとカラー印刷した場合の印刷コストを算出する。ユーザは、これを見てカラー原稿をカラー印刷してもコストが低いか同等であることを確認できる。
【００８１】
また、ユーザにとっては１枚の印刷当たりのコストを金額単位で知ることが好ましい場合が多いため、１枚当たりのコストをコスト報告書に含める。１枚当たりのコストは、例えば、モノクロ印刷、ＬＣカラー印刷及びフルカラー印刷のそれぞれのインク消費量に単価を乗じて、それをそれぞれの印刷ページ数情報により除して算出する。
【００８２】
また、コスト報告書には図１２（ｂ）のようなグラフを添付することが好適である。図１２（ｂ）のグラフはモノクロレーザ、ＬＣプリンタ４、カラーレーザ、インクジェットの一月当たりのインク消費量にかかるコストを比較したものである。プリンタ情報からＬＣプリンタ４のインク消費量にかかるコストは、モノクロ印刷、ＬＣカラー印刷及びフルカラー印刷のそれぞれで算出されるため、これをモノクロレーザ、カラーレーザ及びインクジェットによる印刷のインク消費量に置き換えて算出すればよい。例えば、モノクロレーザはＬＣプリンタ４ではＬＣカラー印刷又はフルカラー印刷されたものが全てモノクロ印刷になるため、ＬＣプリンタ４のモノクロ印刷、ＬＣカラー印刷及びフルカラー印刷の全インク消費量をモノクロのトナーで印刷したコストを算出する。また、カラーレーザ及びインクジェットについては、ＬＣプリンタ４ではＬＣカラー印刷されたものがフルカラー印刷になるため、ＬＣプリンタ４のモノクロ印刷のインク消費量をモノクロ印刷した場合のコスト、ＬＣカラー印刷及びフルカラー印刷のインク消費量をフルカラー印刷した場合のコストをそれぞれ算出する。
【００８３】
すでに説明したようにＬＣカラー印刷ではインク消費量が少ないためモノクロレーザよりもコストは安いことが視覚に訴える形で示される。
【００８４】
図１２（ｃ）は、ＬＣカラー印刷により低減されるコストを比率で示す表の一例を示す。モノクロ印刷、ＬＣカラー印刷及びフルカラー印刷の印刷ページ数情報から、ＬＣカラー印刷の印刷ページ数をモノクロ印刷の印刷ページ数と見なして、ＬＣプリンタ４を使用したことでコストが低減される印刷ページ数の率を示している。例えば、ＬＣカラー印刷によりコストが低減された印刷ページ数が全体の１０％あり、他は同程度であることが分かる。なお、ＬＣカラー印刷によりコスト低減が可能となった印刷ページ数を示してもよい。
【００８５】
ユーザは、実際にユーザが出力する原稿のデータから算出されたコスト報告書を見て、ＬＣプリンタ４を導入することでこれまでモノクロ印刷で代用していたカラー原稿を表現力豊かなカラーにより出力でき、かつ、プリンタ出力によるコストを削減できることを認識する。
【００８６】
このようなデモに納得してＬＣプリンタ４を導入した場合、ユーザは引き続きコスト報告書を定期的に受信することができる。購入後、ユーザは、これまでのプリンタでかかっていたコストよりも安いことをコスト削減率の数値で把握できるため、購入後の報告書を購買部や上司等に提出する上で便利である。
【００８７】
また、総務部や経理部がコスト報告書を活用することができる。コスト報告書には、モノクロ印刷、ＬＣカラー印刷、フルカラー印刷のそれぞれの印刷ページ数が示されるため、フルカラー印刷の多い部署、ＬＣカラー印刷が活用されていない部署等が明らかになる。総務部や経理部は、印刷のコストに無駄が多い部署を把握して適切に対応することができる。また、逆に、印刷ページ数が極端に少ないＬＣプリンタ４がある場合、印刷ページ数の多い部署に配置換えをしたり、排除するなど無駄を省いてＬＣプリンタ４を有効に活用することができる。
【００８８】
次に、販売会社側が得られる効果について説明する。販売会社はＬＣプリンタ４の販売と消耗品（インクや用紙）の販売により利益を得るが、ＬＣプリンタ４による売り上げは１度だけであるのに対し消耗品の売り上げはＬＣプリンタ４を使用している間は継続的に見込めるものであって、かつ、印刷ページ数が多いほど増大する。また、一般に、ＬＣプリンタ４よりも消耗品の方が利益率が高い場合が多く、販売会社としては印刷ページ数が多いユーザ又は部署にＬＣプリンタ４を販売することが利益を得る上で好ましい。
【００８９】
図１３（ａ）はＬＣプリンタ４を導入後の累積印刷ページ数及び売り上げの推移を示すグラフである。例えば、４月に導入したとして、４月初期の売り上げがＬＣプリンタ４の販売による売り上げを示し、その後、売り上げは累積印刷ページ数が増大するにつれて徐々に増大していく。累積印刷ページ数はほぼ一様に増大していることから、例えば、６ヶ月間の推移からこれを直線近似することで将来得られる売り上げを予想することができる。販売会社は、販売支援手段２１ｄが作成する図１３（ａ）のようなグラフや近似された直線の傾きに着目して販売戦略を立てることができる。
【００９０】
例えば、プリンタ情報はＬＣプリンタ４を使用している全てのユーザから取得しうる情報であり、ユーザの業種や業務内容が含まれているため、販売会社は累積印刷ページ数の多い業種にＬＣプリンタ４を重点的に販売するなどの販売戦略を立てることができる。
【００９１】
図１３（ｂ）は、ＬＣプリンタ４を導入後の売り上げ及び利益の推移を示す。図１３（ｂ）の売り上げは図１３（ａ）と同じものであるが、推移の表示期間が３６ヶ月になっている。また、売り上げ及び利益は約６ヶ月間のデータを直線近似してそれを延長している。
【００９２】
利益は、販売支援手段２１ｄがＬＣプリンタ４の販売価格から本体製造コストを減じた値を初期値として、累積インク消費量に基づき算出される利益を加算して算出する。なお、利益のグラフは累積印刷ページ数が増大するにつれて徐々に増大しているが、１５ヶ月程度までマイナスの値を示している。これは、ＬＣプリンタ４の販売により赤字が生じているためである。
【００９３】
したがって、販売会社はこのユーザはいつ頃黒字化するか、また、平均的な使用期間（例えば３６ヶ月）に得られる生涯利益はどのくらいかを、導入後６ヶ月程度で予測することができる。このように採算性を把握すれば販売会社はＬＣプリンタ４や消耗品の価格を戦略的に決定することができる。
【００９４】
また、購入前のデモの期間が十分にあればプリンタ情報から累積インク消費量が分かるので、販売支援手段２１ｄは利益の推移を算出することができる。この結果、利益を近似した直線の傾きが大きければ黒字化が早く、傾きが小さければ黒字化が遅いことが分かる。図１３（ｂ）ではそれぞれを点線Ａと点線Ｂにて示した。販売支援手段２１ｄは利益がゼロとなる月（黒字化する月）を予測して、例えば、１０ヶ月後、２０ヶ月後のようにグラフ上に表示する。
【００９５】
また、予め定めた期間が経過すると黒字化するようにＬＣプリンタ４の販売価格を設定することができる。例えば、１５ヶ月後に黒字化するようにＬＣプリンタ４の販売価格を設定する場合、販売支援手段２１ｄは利益を近似した直線が１５ヶ月後に利益がゼロとなるようにシフトして（図では点線Ｃ）、縦軸と交わる利益Ｐｆに基づき販売価格（＝本体製造コスト＋Ｐｆ）を決定することができる。したがって、販売会社は販売支援手段２１ｄが決定した販売価格を参考に所定期間で黒字化する価格でＬＣプリンタ４を販売できる。
【００９６】
図１４は下取りの有無及びアクセサリの有無とインク消費量の関係を示す図である。販売形態として下取りした場合のインク消費量が４５６３％であるのに対し、新規導入した場合のインク消費量は２１０７％となっている。なお、それぞれのインク消費量は、例えば、下取りして導入したＬＣプリンタ４の平均、新規導入したＬＣプリンタ４の平均、増設トレイを搭載しているＬＣプリンタ４の平均、増設トレイを搭載していないＬＣプリンタ４の平均である。販売支援手段２１ｄは、図１４のようにＬＣプリンタ４の販売形態や使用形態に応じてインクの消費量を算出する。販売会社はインク消費量の高い要因を把握して、販売戦略を立てることができる。
【００９７】
また、例えば、販売支援手段２１ｄは同じ業種や部署毎にインク消費量順にランク付けすることができる。販売会社は同じ業種であってもインク消費量が極端に大きいユーザがいたり、ある企業にインク消費量の多い部署があれば、そのプリンタ情報を解析して新たな販売戦略を立てることができる。
【００９８】
以上のように、本実施形態の適正プリンタ選択シミュレーションシステム１０によれば、ユーザはＬＣカラー印刷を利用することでカラーでありながらモノクロ印刷よりもコストが安いことを認識して、表現力とランニングコストを両立したプリンタの選択及び印刷が可能となる。また、ユーザはＬＣプリンタ４により印刷した際の実際のコストをコスト報告書により通知されるので、ＬＣプリンタ４によるコスト低減効果を数値として把握することができる。また、ユーザはコスト報告書を利用してＬＣプリンタ４の配置変更や印刷について各部署を指導することができる。また、販売会社はプリンタ情報を利用してＬＣプリンタ４の効果的な販売戦略を立てることができ、プリンタ情報が得られるほど（販売数が増えるほど）効果的に販売することができる。
【図面の簡単な説明】
【００９９】
【図１】カラー原稿をフルカラー印刷した出力結果とＬＣ処理して印刷した出力結果を比較して示す図である。
【図２】印刷シミュレートの手順を示すフローチャート図である。
【図３】印刷シミュレートの設定画面の一例を示す図である。
【図４】ＬＣプリンタのＷｅｂサイトを説明するための図である。
【図５】適正プリンタ選択シミュレーションシステムの構成図の一例である。
【図６】コストサーバ２のハードウェア構成図及び機能ブロック図の一例である。
【図７】適正プリンタ選択シミュレーションシステムにより印刷コストを算出する手順のアクティビティ図の一例である。
【図８】適正プリンタ選択シミュレーションシステムの構成図の一例である。
【図９】ＬＣプリンタとコストサーバの機能ブロック図の一例である。
【図１０】Ｅ-Ｍａｉｌにより送信されるプリンタ情報の一例を示す図である。
【図１１】ユーザ情報の設定画面の一例を示す図である。
【図１２】コスト報告書の一例を示す図である。
【図１３】ＬＣプリンタを導入後の累積印刷ページ数及び売り上げの推移を示すグラフである。
【図１４】下取りの有無及びアクセサリの有無とインク消費量の関係を示す図である。
【符号の説明】
【０１００】
１      ユーザ端末
２      コストサーバ
３      ネットワーク
４      ＬＣプリンタ
１０    適正プリンタ選択シミュレーションシステム
１１ａ  ＰＲＮファイル生成手段
１１ｂ  ＰＲＮファイル送信手段
２１ａ  シミュレート手段
２１ｂ  コスト情報送信手段
２１ｃ  コスト報告書生成手段
２１ｄ  販売支援手段
４１    メールアドレス
４２    メールフレーム
４３    ＮＩＣ
４４    Ｅ-Ｍａｉｌ生成手段
４５    Ｗｅｂサーバ
【図１】
2008165380.tif 000003
【図２】
2008165380.tif 000004
【図３】
2008165380.tif 000005
【図４】
2008165380.tif 000006
【図５】
2008165380.tif 000007
【図６】
2008165380.tif 000008
【図７】
2008165380.tif 000009
【図８】
2008165380.tif 000010
【図９】
2008165380.tif 000011
【図１０】
2008165380.tif 000012
【図１１】
2008165380.tif 000013
【図１２】
2008165380.tif 000014
【図１３】
2008165380.tif 000015
【図１４】
2008165380.tif 000016